(57)【要約】  従来のリニアーな色再現範囲と、さらにノンリニアーな色再現範囲を合わせ持った色再現特性を有する表示デバイスでの表示のための画像処理として、それらの色再現特性を複合させて、より画像の種類や性質に適合した複数の色空間を創出し、それぞれの画像に応じた色変換処理を行うことにより、画像の種類や性質に応じたより自然で好ましい色再現を達成する画像処理システム、及び画像処理装置を提供する。
2009017055.tif 000002
【特許請求の範囲】
【請求項１】
画像を取得する画像取得手段と、
前記画像取得手段により取得した前記画像を記憶する画像記憶手段と、
前記画像記憶手段に記憶されている前記画像を表示するために画像処理する画像処理手段と、
前記画像処理手段により画像処理された前記画像を表示する画像表示手段と、
を有する画像処理システムであって、
前記画像処理手段は、
前記画像を色再現に関する要件の異なる画像領域に分割する画像解析手段と、
前記画像解析手段により分割された前記画像領域それぞれに対して、異なる色変換処理を行う色変換手段と、を有し、
前記色変換手段は、
前記画像領域それぞれに応じて、前記画像表示手段の表示特性に合わせた複数の独立した色空間を複合した、それぞれ異なる色空間への色変換を行う
ことを特徴とする画像処理システム。
【請求項２】
前記画像表示手段は、
異なる色を表示する複数の表示セルからなる画素を配列した表示部を有し、
異なる色を表示するそれぞれの表示セルは、共通の黒色表示と、それぞれの異なる色表示と、そして共通の白色表示との間で、連続的に色表示を変化させることが可能である
ことを特徴とする請求の範囲第１項に記載の画像処理システム。
【請求項３】
前記異なる色を表示する複数の表示セルは、
それぞれＲ、Ｇ、Ｂと称される、赤、緑、青の３色を表示する表示セルである
ことを特徴とする請求の範囲第２項に記載の画像処理システム。
【請求項４】
前記異なる色を表示する複数の表示セルは、
それぞれＣ、Ｍ、Ｙと称される、シアン、マゼンタ、イエローの３色を表示する表示セルである
ことを特徴とする請求の範囲第２項に記載の画像処理システム。
【請求項５】
前記画像解析手段は、前記画像を、
階調再現のよい色再現特性が要求される第１の画像領域と、
コントラストのよい色再現特性が要求される第２の画像領域と、
明度の高い色再現特性が要求される第３の画像領域と、
彩度の高い色再現特性が要求される第４の画像領域と、
に分割する
ことを特徴とする請求の範囲第３項に記載の画像処理システム。
【請求項６】
前記色変換手段は、前記第１の画像領域に対しては、
Ｒ、Ｇ、Ｂの各色を表示する表示セル何れに対しても、共通の黒色表示とそれぞれの異なる色表示との間で色表示が変化する範囲を色再現範囲として色変換処理を行う
ことを特徴とする請求の範囲第５項に記載の画像処理システム。
【請求項７】
前記色変換手段は、前記第２の画像領域に対しては、
Ｒ、Ｇ、Ｂの各色を表示する表示セル何れに対しても、共通の黒色表示と共通の白色表示との間で色表示が変化する範囲を色再現範囲として色変換処理を行う
ことを特徴とする請求の範囲第５項または第６項に記載の画像処理システム。
【請求項８】
前記色変換手段は、前記第３の画像領域に対しては、
Ｒ、Ｇ、Ｂの各色を表示する表示セルのうち一つ以上に対しては、それぞれの異なる色表示と共通の白色表示との間で色表示が変化する範囲を色再現範囲として色変換処理を行う
ことを特徴とする請求の範囲第５項乃至第７項の何れか１項に記載の画像処理システム。
【請求項９】
前記色変換手段は、前記第４の画像領域に対しては、
Ｒ、Ｇ、Ｂの各色を表示する表示セルのうち一つ以上に対しては、共通の黒色表示とそれぞれの異なる色表示との間で色表示が変化する範囲を色再現範囲として色変換処理を行う
ことを特徴とする請求の範囲第５項乃至第８項の何れか１項に記載の画像処理システム。
【請求項１０】
前記色変換手段は、前記画像領域それぞれに応じて、それぞれ異なる色空間への色変換処理を、Ｌｏｏｋ  Ｕｐ  Ｔａｂｌｅを用いて行う
ことを特徴とする請求の範囲第５項乃至第９項の何れか１項に記載の画像処理システム。
【請求項１１】
画像を取得する画像取得手段と、
前記画像取得手段により取得した前記画像を記憶する画像記憶手段と、
前記画像記憶手段に記憶されている前記画像を表示するために画像処理する画像処理手段と、
前記画像処理手段により画像処理された前記画像を外部表示手段に出力する画像出力手段と、
を有する画像処理装置であって、
前記画像処理手段は、
前記画像を色再現に関する要件の異なる画像領域に分割する画像解析手段と、
前記画像解析手段により分割された前記画像領域それぞれに対して、異なる色変換処理を行う色変換手段と、を有し、
前記色変換手段は、
前記外部表示手段の表示特性に関する情報を保持しており、
前記画像領域それぞれに応じて、前記外部表示手段の表示特性に合わせた複数の独立した色空間を複合した、それぞれ異なる色空間への色変換を行う
ことを特徴とする画像処理装置。
【請求項１２】
前記色変換手段の保持する前記外部表示手段の表示特性に関する情報は、
前記外部表示手段が有する、それぞれＲ、Ｇ、Ｂと称される、赤、緑、青の３色を表示する複数の表示セルそれぞれについての、共通の黒色表示と、それぞれの異なる色表示と、そして共通の白色表示との間で、連続的に色表示が変化する色再現範囲を含む
ことを特徴とする請求の範囲第１１項に記載の画像処理装置。
【請求項１３】
前記外部表示手段が有する前記複数の表示セルは、それぞれＣ、Ｍ、Ｙと称される、シアン、マゼンタ、イエローの３色を表示する表示セルである
ことを特徴とする請求の範囲第１２項に記載の画像処理装置。
【請求項１４】
前記画像解析手段は、前記画像を、
階調再現のよい色再現特性が要求される第１の画像領域と、
コントラストのよい色再現特性が要求される第２の画像領域と、
明度の高い色再現特性が要求される第３の画像領域と、
彩度の高い色再現特性が要求される第４の画像領域と、
に分割する
ことを特徴とする請求の範囲第１２項に記載の画像処理装置。
【請求項１５】
前記色変換手段は、前記第１の画像領域に対しては、
Ｒ、Ｇ、Ｂの各色を表示する表示セル何れに対しても、共通の黒色表示とそれぞれの異なる色表示との間で色表示が変化する範囲を色再現範囲として色変換処理を行う
ことを特徴とする請求の範囲第１４項に記載の画像処理装置。
【請求項１６】
前記色変換手段は、前記第２の画像領域に対しては、
Ｒ、Ｇ、Ｂの各色を表示する表示セル何れに対しても、共通の黒色表示と共通の白色表示との間で色表示が変化する範囲を色再現範囲として色変換処理を行う
ことを特徴とする請求の範囲第１４項または第１５項に記載の画像処理装置。
【請求項１７】
前記色変換手段は、前記第３の画像領域に対しては、
Ｒ、Ｇ、Ｂの各色を表示する表示セルのうち一つ以上に対しては、それぞれの異なる色表示と共通の白色表示との間で色表示が変化する範囲を色再現範囲として色変換処理を行う
ことを特徴とする請求の範囲第１４項乃至第１６項の何れか１項に記載の画像処理装置。
【請求項１８】
前記色変換手段は、前記第４の画像領域に対しては、
Ｒ、Ｇ、Ｂの各色を表示する表示セルのうち一つ以上に対しては、共通の黒色表示とそれぞれの異なる色表示との間で色表示が変化する範囲を色再現範囲として色変換処理を行う
ことを特徴とする請求の範囲第１４項乃至第１７項の何れか１項に記載の画像処理装置。
【請求項１９】
前記色変換手段の保持する前記外部表示手段の表示特性に関する情報は、
それぞれの前記画像領域に対する色変換処理に用いるＬｏｏｋ  Ｕｐ  Ｔａｂｌｅとして保持する
ことを特徴とする請求の範囲第１４項乃至第１８項の何れか１項に記載の画像処理装置。
【発明の詳細な説明】
【技術分野】
【０００１】
本発明は、画像を表示するための画像処理、特に色変換処理を行う画像処理システム、及び画像処理装置に関する。
【背景技術】
【０００２】
カラー画像をプリンタやディスプレイ等で出力するに際して、表示装置の色再現特性などに合わせて、色補正のための処理が一般的に行われている。以下色変換処理という。【０００３】
色変換処理を行うのは、画像を出力する装置固有の色再現特性を補正することによって、観察者にとって最も自然に見える色を再現して出力するためである。しかしながら、通常は、どのような出力装置にも色再現範囲の限界があり、すべての色を自由に出力できるというわけにはいかない。従って限られた色再現範囲内で、どのように適切に再現された色表示を行うかということで、様々な色変換の技術が開発されてきている。【０００４】
そういった色変換処理においては、一般的に用いる色空間としては線型であっても、実際的には、限られた色再現範囲内に、表示色を押し込めるような変換処理になりがちであり、部分的に非線型な空間となったり、色表現としての連続性が失われたりといったことが起こりがちであった。実際、具体的な色変換処理方法についても、そういった非線形性に対応すべく、マトリクス変換よりも、変換テーブルを用いるＬＵＴ（Ｌｏｏｋ  Ｕｐ  Ｔａｂｌｅ）方式が一般的に用いられている。【０００５】
そこで、カラー画像の色再現として、その画像にどのような色再現が要求されるのかを考慮して色変換処理する、すなわち色変換処理の対象となる画像に応じて、色変換処理を異ならせるような技術が提案されてきた。例えば、文字を主体としたテキスト画像では、階調性よりもコントラストが重視されるので、コントラストが大きくなるような色変換処理を、写真画像のような階調画像は階調性が重視されるので、階調再現がよくなるような色変換処理を行う。【０００６】
さらに、一つの画像内に混在するそれらの画像領域を判別して、画像領域毎に色変換処理を異ならせるような技術も提案されている（例えば、特許文献１乃至３参照）。【０００７】
特許文献１では、色変換に用いるＬＵＴを複数用意して、文字や写真画像などに対して使い分けている。特許文献２では、シーンを判別し、シーンに応じて色変換定義を選択している。また特許文献３では、ユーザがオブジェクトを指定し、好みの色変換テーブルを適用できるようにしている。【０００８】
しかしながら、これらは何れも画像の性質や種類に応じて選択できることに主眼がおかれている。すなわち、色表示を行う色再現の範囲自体には基本的に特徴がある訳ではなく、如何にその色再現範囲の中で重点の置き方を変えるかという点が技術の主体となっている。【０００９】
すなわち、特許文献１では、より小さいサイズのＬＵＴを選択肢として用意することで、省メモリを唱っている。特許文献２では、ＣＭＹＫ空間への変換を前提として、Ｋ（ブラック）の使い方を変えている。特許文献３では、オブジェクト単位で、好みの色変換を選べることが目的とされている。【００１０】
これに対し、本願発明者らは、新規な色再現範囲を有する表示デバイスの開発とともに、それらの色再現特性の効果的な利用方法を検討してきた。すなわち、従来のリニアーな色再現範囲と、さらにノンリニアーな色再現範囲を合わせ持つ表示デバイスに対して、そういった複数の独立した色再現範囲を有効に活用できるようにすることで、より画像の種類や性質に適した色変換処理を行う技術を追い求めてきた。
【特許文献１】特開２００３−２１９１９１号公報
【特許文献２】特開２００６−１６３５０３号公報
【特許文献３】特開２００７−１５０５７１号公報
【発明の開示】
【発明が解決しようとする課題】
【００１１】
上述したように、従来は画像の性質や種類に応じて、適切な色変換処理を選択できるように試みられた。しかし、色変換処理については、ＬＵＴサイズを変えたり、Ｋの添加を調整したり、好みに対応するようにしたり、といった限られた色再現範囲での出力を前提としたものから出るものではなかった。【００１２】
本願発明者らは、上述のように、カラー画像の表示装置としての色再現特性そのものを技術的に変えていくことで、さらに新しい、色再現範囲の提示、及びそれを利用した適切なマッピング技術の開発が可能と考え、検討してきた。【００１３】
すなわち、本発明の目的は、従来のリニアーな色再現範囲と、さらにノンリニアーな色再現範囲を合わせ持った表示デバイスの色再現特性に対しても、画像の種類や性質に応じたより自然で好ましい色再現を達成する色変換処理が可能な画像処理システム、及び画像処理装置を提供することである。
【課題を解決するための手段】
【００１４】
上記の課題を解決するために、本発明は以下のような特徴を有するものである。【００１５】
１．  画像を取得する画像取得手段と、前記画像取得手段により取得した前記画像を記憶する画像記憶手段と、前記画像記憶手段に記憶されている前記画像を表示するために画像処理する画像処理手段と、前記画像処理手段により画像処理された前記画像を表示する画像表示手段と、を有する画像処理システムであって、前記画像処理手段は、前記画像を色再現に関する要件の異なる画像領域に分割する画像解析手段と、前記画像解析手段により分割された前記画像領域それぞれに対して、異なる色変換処理を行う色変換手段と、を有し、前記色変換手段は、前記画像領域それぞれに応じて、前記画像表示手段の表示特性に合わせた複数の独立した色空間を複合した、それぞれ異なる色空間への色変換を行うことを特徴とする画像処理システム。【００１６】
２．  前記画像表示手段は、異なる色を表示する複数の表示セルからなる画素を配列した表示部を有し、異なる色を表示するそれぞれの表示セルは、共通の黒色表示と、それぞれの異なる色表示と、そして共通の白色表示との間で、連続的に色表示を変化させることが可能であることを特徴とする１に記載の画像処理システム。【００１７】
３．  前記異なる色を表示する複数の表示セルは、それぞれＲ、Ｇ、Ｂと称される、赤、緑、青の３色を表示する表示セルであることを特徴とする２に記載の画像処理システム。【００１８】
４．  前記異なる色を表示する複数の表示セルは、それぞれＣ、Ｍ、Ｙと称される、シアン、マゼンタ、イエローの３色を表示する表示セルであることを特徴とする２に記載の画像処理システム。【００１９】
５．  前記画像解析手段は、前記画像を、階調再現のよい色再現特性が要求される第１の画像領域と、コントラストのよい色再現特性が要求される第２の画像領域と、明度の高い色再現特性が要求される第３の画像領域と、彩度の高い色再現特性が要求される第４の画像領域と、に分割することを特徴とする３に記載の画像処理システム。【００２０】
６．  前記色変換手段は、前記第１の画像領域に対しては、Ｒ、Ｇ、Ｂの各色を表示する表示セル何れに対しても、共通の黒色表示とそれぞれの異なる色表示との間で色表示が変化する範囲を色再現範囲として色変換処理を行うことを特徴とする５に記載の画像処理システム。【００２１】
７．  前記色変換手段は、前記第２の画像領域に対しては、Ｒ、Ｇ、Ｂの各色を表示する表示セル何れに対しても、共通の黒色表示と共通の白色表示との間で色表示が変化する範囲を色再現範囲として色変換処理を行うことを特徴とする５または６に記載の画像処理システム。【００２２】
８．  前記色変換手段は、前記第３の画像領域に対しては、Ｒ、Ｇ、Ｂの各色を表示する表示セルのうち一つ以上に対しては、それぞれの異なる色表示と共通の白色表示との間で色表示が変化する範囲を色再現範囲として色変換処理を行うことを特徴とする５乃至７の何れか１項に記載の画像処理システム。【００２３】
９．  前記色変換手段は、前記第４の画像領域に対しては、Ｒ、Ｇ、Ｂの各色を表示する表示セルのうち一つ以上に対しては、共通の黒色表示とそれぞれの異なる色表示との間で色表示が変化する範囲を色再現範囲として色変換処理を行うことを特徴とする５乃至８の何れか１項に記載の画像処理システム。【００２４】
１０．  前記色変換手段は、前記画像領域それぞれに応じて、それぞれ異なる色空間への色変換処理を、Ｌｏｏｋ  Ｕｐ  Ｔａｂｌｅを用いて行うことを特徴とする５乃至９の何れか１項に記載の画像処理システム。【００２５】
１１．  画像を取得する画像取得手段と、前記画像取得手段により取得した前記画像を記憶する画像記憶手段と、前記画像記憶手段に記憶されている前記画像を表示するために画像処理する画像処理手段と、前記画像処理手段により画像処理された前記画像を外部表示手段に出力する画像出力手段と、を有する画像処理装置であって、前記画像処理手段は、前記画像を色再現に関する要件の異なる画像領域に分割する画像解析手段と、前記画像解析手段により分割された前記画像領域それぞれに対して、異なる色変換処理を行う色変換手段と、を有し、前記色変換手段は、前記外部表示手段の表示特性に関する情報を保持しており、前記画像領域それぞれに応じて、前記外部表示手段の表示特性に合わせた複数の独立した色空間を複合した、それぞれ異なる色空間への色変換を行うことを特徴とする画像処理装置。【００２６】
１２．  前記色変換手段の保持する前記外部表示手段の表示特性に関する情報は、前記外部表示手段が有する、それぞれＲ、Ｇ、Ｂと称される、赤、緑、青の３色を表示する複数の表示セルそれぞれについての、共通の黒色表示と、それぞれの異なる色表示と、そして共通の白色表示との間で、連続的に色表示が変化する色再現範囲を含むことを特徴とする１１に記載の画像処理装置。【００２７】
１３．  前記外部表示手段が有する前記複数の表示セルは、それぞれＣ、Ｍ、Ｙと称される、シアン、マゼンタ、イエローの３色を表示する表示セルであることを特徴とする１２に記載の画像処理装置。【００２８】
１４．  前記画像解析手段は、前記画像を、階調再現のよい色再現特性が要求される第１の画像領域と、コントラストのよい色再現特性が要求される第２の画像領域と、明度の高い色再現特性が要求される第３の画像領域と、彩度の高い色再現特性が要求される第４の画像領域と、に分割することを特徴とする１２に記載の画像処理装置。【００２９】
１５．  前記色変換手段は、前記第１の画像領域に対しては、Ｒ、Ｇ、Ｂの各色を表示する表示セル何れに対しても、共通の黒色表示とそれぞれの異なる色表示との間で色表示が変化する範囲を色再現範囲として色変換処理を行うことを特徴とする１４に記載の画像処理装置。【００３０】
１６．  前記色変換手段は、前記第２の画像領域に対しては、Ｒ、Ｇ、Ｂの各色を表示する表示セル何れに対しても、共通の黒色表示と共通の白色表示との間で色表示が変化する範囲を色再現範囲として色変換処理を行うことを特徴とする１４または１５に記載の画像処理装置。【００３１】
１７．  前記色変換手段は、前記第３の画像領域に対しては、Ｒ、Ｇ、Ｂの各色を表示する表示セルのうち一つ以上に対しては、それぞれの異なる色表示と共通の白色表示との間で色表示が変化する範囲を色再現範囲として色変換処理を行うことを特徴とする１４乃至１６の何れか１項に記載の画像処理装置。【００３２】
１８．  前記色変換手段は、前記第４の画像領域に対しては、Ｒ、Ｇ、Ｂの各色を表示する表示セルのうち一つ以上に対しては、共通の黒色表示とそれぞれの異なる色表示との間で色表示が変化する範囲を色再現範囲として色変換処理を行うことを特徴とする１４乃至１７の何れか１項に記載の画像処理装置。【００３３】
１９．  前記色変換手段の保持する前記外部表示手段の表示特性に関する情報は、それぞれの前記画像領域に対する色変換処理に用いるＬｏｏｋ  Ｕｐ  Ｔａｂｌｅとして保持することを特徴とする１４乃至１８の何れか１項に記載の画像処理装置。
【発明の効果】
【００３４】
本発明に係る画像処理システム、及び画像処理装置によれば、従来のリニアーな色再現範囲と、さらにノンリニアーな色再現範囲を合わせ持った表示デバイスの色再現特性に対しても、それらの色再現特性を複合させて、より画像の種類や性質に適合した複数の色空間を創出することができる。それらの色空間を用いて、それぞれの画像に応じた色変換処理を行うことができるので、それぞれの画像に適したより自然で好ましい色再現を達成することができる。
【図面の簡単な説明】
【００３５】
【図１】本実施形態に係る画像処理システムの概略構成例を示すブロック図である。
【図２】本実施形態に係る画像処理装置の概略構成例を示すブロック図である。
【図３】本実施形態で用いるリニアーな色再現範囲とノンリニアーな色再現範囲とを合わせ持った表示デバイスの基本構成例を示す構成図である。
【図４】（ａ）従来の表示セルによる色表示の状態、及び（ｂ）本実施形態で使用する表示セル（表示素子Ａ）による色表示の状態を示す図である。
【図５】本実施形態で使用する別の表示セル（表示素子Ｂ）による色表示の状態を示す図である。
【図６】本実施形態で使用する表示デバイス（表示素子Ａ）について、Ｌａｂ色空間での色再現範囲を模式的に示す図である。
【図７】本実施形態で使用する表示デバイス（表示素子Ｂ）について、Ｌａｂ色空間での色再現範囲を模式的に示す図である。
【図８】画像領域と色変換に用いる色再現域との対応関係を説明するための図である。
【図９】表示デバイスの表示特性に合わせて表示画像の画像処理を行う手順を示すフローチャートである。
【図１０】領域分割され、色変換される表示画像の例を示す図である。
【図１１】ＬＵＴ１の例を示す図である。
【図１２】ＬＵＴ２の例を示す図である。
【符号の説明】
【００３６】
１  画像処理システム
２  画像処理装置
３  外部表示装置
１１  アプリケーション
１２  画像取得部
１３  画像記憶部
１４  画像出力部
１５  一時データメモリ部
１６  通信ＩＦ部
３０  画像処理部
３１  画像解析部
３２  色変換部
４０  画像表示部
４１  表示部
４２  表示ドライバ
４３  描画処理部
４４  一時データメモリ部
５０ａ、６０ａ  各表示セルの色再現
５０ｂ、６０ｂ  画素としての色再現
５１〜５３、６１〜６５  色表示の出力状態
７１  表示デバイスで表示する画像
７２ａ〜７２ｄ  第１〜第４の画像領域
７３ａ〜７３ｄ  ＬＵＴ１〜４
８０  表示デバイスの表示特性
８１  リニアーな色再現範囲
８２  ノンリニアーな色再現範囲
８３ａ〜８３ｄ  色再現域１〜４
９０  表示画像
９１  写真画像の領域
９２  テキスト画像の領域
９３  マーカーの領域
９４  イラストの領域
９５  その他の領域９５
【発明を実施するための最良の形態】
【００３７】
以下に、図を参照して、本発明に係る画像処理システム、及び画像処理装置の実施形態を説明する。【００３８】
（画像処理システムの概略構成例）
図１は本実施形態に係る画像処理システムの概略構成例を示すブロック図である。図１を用いて、画像処理システムの概略構成例を説明する。【００３９】
図１において、画像処理システム１は、主として画像処理装置２として機能する本体部分と、画像表示部４０を含んで構成される。これらは、ハードウェアとして一体化していてもよいし、また個別の装置を有線、あるいは無線の通信により接続し、システム化したものであってもよい。図１では両者は通信ＩＦ（インタフェイス）部１６で、互いに送受信可能なように接続されているものとした。【００４０】
画像処理装置２として機能する本体部分のハードウェアは、パーソナルコンピュータ（以下、ＰＣと呼称する）のような情報処理装置が一般的に用いられる。また、一般のＰＣの使用形態に準じて、プリンタ、スキャナ、その他様々な周辺装置が接続していてもかまわない。ネットワークなどを経由して、各種装置と通信し、データ入出力が可能な構成になっていてもよい。【００４１】
画像表示部４０のハードウェアは、一般にディスプレイ装置として多種類のものがある。ＣＲＴ、液晶ディスプレイ、プラズマディスプレイ、ＬＥＤ表示装置、その他任意の表示装置が用いられる。これらは通常、画像を画素の二次元配列として表示する。カラー画像であれば、画像表示を構成する各画素は、一般には複数の単位色（例えば、通常はＲ（赤）Ｇ（緑）Ｂ（青））を色表示する表示素子の組み合わせからなる。【００４２】
なお、本実施形態で用いるリニアーな色再現範囲とノンリニアーな色再現範囲を合わせ持った表示デバイスについての詳細は後述する。【００４３】
画像処理装置２として機能する本体部分の内部機能構成について説明する。画像表示部４０に画像を表示させる機能に関する部分のみを図示している。【００４４】
画像を表示するための各処理は、適当なアプリケーション１１がプログラムとして動作し、以下の各機能部分を実行させることで行われる。【００４５】
画像取得部１２は、画像取得手段として機能し、画像データを取得する。画像データの取得先は任意である。アプリケーションによって設定されるに従い、記憶装置、外部装置、各種入力装置、あるいはネットワーク経由で取得してもよい。【００４６】
画像記憶部１３は、画像記憶手段として機能し、取得された画像データを記憶する。ハードとしては記憶装置であり、必要に応じて画像処理装置２本体部分の外部にある装置であってもよい。また、装着可能な外部記憶媒体であってもよい。【００４７】
画像処理部３０は、画像表示のために画像処理を行う部分であって、主として画像解析部３１と色変換部３２とを含む。画像処理部３０は画像処理手段として機能する。【００４８】
画像解析部３１は画像解析手段として機能する。すなわち、取得し、記憶している画像データを表示するに際して、まず、画像としての性質を解析し、画像を必要に応じて複数の画像領域に分割する。画像としての性質とは、テキスト主体の画像であるとか、階調画像であるとか、それに従って色再現の方法を変えるべき画像としての要件である。すなわち、画像をそれに従って分割する目的は、それらの要件に応じて色変換の方法を変えることにある。【００４９】
色変換部３２は色変換手段として機能する。すなわち、画像解析部３１によって分割された各画像領域毎に、それに応じた色変換処理を行う。各画像領域毎の要件に応じた処理を行うためには、色変換部３２は画像表示部４０の表示特性、すなわち色再現範囲と、その中での階調再現特性の情報を保持している必要がある。通常は、それは画像表示部４０のＬＵＴとして保持されている。【００５０】
画像処理部３０での処理の詳細は、後でも述べる。【００５１】
画像表示部４０に向けて画像処理された画像データは、一時データメモリ部１５に記憶され、通信ＩＦ部１６により、画像表示部４０の一時データメモリ部４４に移される。【００５２】
画像表示部４０は画像表示手段として機能する。画像表示部４０の内部機能構成について説明する。【００５３】
描画処理部４３は、一時データメモリ部４４の画像データに対して描画処理を行い、画像データを表示用の形式に変換する。表示ドライバ４２が描画処理された画像データに基づいて、表示デバイスである表示部４１に信号を送出し、駆動する。表示部４１は、既述したように表示セルからなる画素の配列であり、信号に応じて、各画素がそれぞれの色表示を行うことで、画像表示を行う。【００５４】
なお、本実施形態で用いる外部表示装置は、後述するリニアーな色再現範囲とノンリニアーな色再現範囲とを合わせ持った表示デバイスである。【００５５】
（画像処理装置の概略構成例）
図１では、画像処理システムの概略構成例を説明した。本発明に係る実施形態は画像処理装置であってもよい。図１に示した画像表示部は必ずしも必要ではなく、表示に際して、外部表示装置を接続し、画像データ出力するという形態であってもよい。外部表示装置の表示特性は必要であるが、それは予め保持していてもよいし、表示出力のために接続した際に取得するようにしてもよい。【００５６】
図２は本実施形態に係る画像処理装置の概略構成例を示すブロック図である。図２を用いて、画像処理装置の概略構成例を説明する。但し、図１と同じ機能のブロックについては、同符号を付し、説明は省略する。【００５７】
図２において、画像処理装置２は、図１の本体部分と同様に機能する。表示は外部表示装置３に画像出力する。外部表示装置３は、図１の画像表示部４０と同様に機能する。これらは、画像表示出力に際して、有線、あるいは無線の通信により接続される。【００５８】
画像処理装置２のハードウェアは、図１と同様の情報処理装置が一般的に用いられる。また画像を表示するための各処理が、適当なアプリケーション１１がプログラムとして動作し、以下の各機能部分を実行させることで行われるのも同様である。【００５９】
画像取得部１２が画像取得手段として機能し、画像記憶部１３が画像記憶手段として機能するのも、図１の画像処理システムと同様である。【００６０】
画像処理部３０も同様に、画像処理手段として機能する。すなわち、画像表示のために画像処理を行う部分であって、以下の画像解析部３１と色変換部３２とを含む。【００６１】
画像解析部３１は画像解析手段として機能し、画像データを表示するに際して、まず、画像としての性質を解析し、画像を必要に応じて複数の画像領域に分割する。画像としての性質とは、テキスト主体の画像であるとか、階調画像であるとか、それに従って色再現の方法を変えるべき画像としての要件である。すなわち、画像をそれに従って分割する目的は、それらの要件に応じて色変換の方法を変えることにある。【００６２】
色変換部３２は色変換手段として機能し、画像解析部３１によって分割された各画像領域毎に、それに応じた色変換処理を行う。各画像領域毎の要件に応じた処理を行うためには、色変換部３２は外部表示装置３の表示特性、すなわち色再現範囲と、その中での階調再現特性の情報を保持している必要がある。通常は、それは外部表示装置３のＬＵＴとして保持する。【００６３】
既述したように、外部表示装置３のＬＵＴは予め保持していてもよいし、画像出力に当たって、その都度取得、あるいは生成するようにしてもよい。【００６４】
外部表示装置３に向けて画像処理された画像データは、画像出力手段として機能する画像出力部１４によって、接続している外部表示装置３に出力される。後は外部表示装置３が表示のための処理を行い表示を行う。その処理は、図１の画像表示部４０における処理と同様である。【００６５】
（表示デバイスについて）
本実施形態では、画像を表示するに当たり、表示デバイスの表示特性に合わせて、色変換処理を行う。また、その表示特性として、通常のリニアーな色再現範囲と、さらにノンリニアーな色再現範囲を合わせ持つような表示デバイスでの表示に対して、有効な色変換処理を行う。【００６６】
リニアーな色再現範囲と、ノンリニアーな色再現範囲を合わせ持つような表示デバイス及びその表示デバイスでの色表示について以下に説明する。【００６７】
なお本実施形態では、Ｒ、Ｇ、Ｂと呼称される３つの表示セルを用いて色表示を行う表示デバイスを採り上げているが、Ｃ、Ｍ、Ｙなど他の３色の表示セルを用いた表示デバイスにおいても、同様の表示特性、すなわち通常のリニアーな色再現範囲と、さらにノンリニアーな色再現範囲を合わせ持つような表示デバイスが構成でき、同様の色変換処理を適用することができる。【００６８】
図３は、本実施形態に係る表示デバイスでの表示素子（表示セル）の基本的な構成例を示す概略断面図である。図３を参照して、通常のリニアーな色再現範囲とノンリニアーな色再現範囲を合わせ持つような表示素子（本願発明者らはＳＥＣＤと称する）の構成例を説明する。【００６９】
ＳＥＣＤ（Ｓｉｌｖｅｒ  ｅｌｅｃｔｏｒｉｃ  ｃｏｌｏｒ  ｄｅｖｉｃｅ）とは、次のような表示方式である。【００７０】
反射型の表示素子として、銀イオン（Ａｇ＋）の電荷のやり取りで、透明の銀イオンと黒化した銀（Ａｇ）の変化で白と黒の変化を表現するＳＤＤ方式が知られている。一方では、エレクトロクロミック材料（導電性高分子など）の酸化還元により透明状態と発色状態の変化を起こすＥＣ方式が知られている。【００７１】
ＳＥＣＤ方式は、上記ＳＤＤ方式の機能とＥＣ方式の機能とを１つの表示セルに合体した表示方式である。これにより、リニアーな色再現範囲とノンリニアーな色再現範囲を合わせ持つような表示素子となっている。【００７２】
すなわち、先に述べた銀の析出による黒色の変化をマイナスの電位で、酸化還元の色の変化をプラスの電位で、それぞれ発生させることで。透明、黒、各色の３つの状態に変化させることのできる反射型の表示素子となっている。【００７３】
図３に示す表示素子は、透明なＩＴＯ電極２２と銀電極２０の間に電解質２１を保持している。図３に示す例では、ＩＴＯ電極２２と銀電極２０には電流源２３が接続されている。電流源２３から銀電極２０に図中の矢印方向に電流ｉを印加すると、電解質２１中に含まれる銀の析出反応が生じる。析出した銀は光を吸収し、ＩＴＯ電極２２から見た表示素子の濃度が高くなる。【００７４】
一方、電流源２３から銀電極２０に図中の矢印と逆方向に電流ｉを印加すると、電解質２１中に含まれる銀の溶解反応が生じる。析出した銀は溶解し、透明に変化する。ＳＥＣＤの電解質２１には白色散乱物（酸化チタンなど）が入っており、光はこの白色散乱物で反射されるので外部からは白色に見える。そのため、一定時間電流ｉを図中の矢印と逆方向に印加するとＩＴＯ電極２２から見た表示素子Ａの濃度及び色は初期状態の白色になる。【００７５】
ＳＥＣＤでは、上記銀イオン以外に、エレクトロクロミック化合物を含む電解質２１を用いるので、印加した電流ｉに応じて発色し、上記の白黒の階調に加えて黒以外の着色した状態ができる。発色は、置換基の変化でＲ、Ｇ、ＢやＹ、Ｍ、Ｃが可能である。【００７６】
エレクトロクロミック化合物は電気化学的な酸化還元によって、物質の光学吸収の性質（色や光透過度）が可逆的に変化する現象（エレクトクロミズム）を示す化合物であればいかなる化合物を用いても良い。エレクトロクロミック化合物としてポリピリジンを用いた表示素子Ａと、イミダゾールロイコを用いた表示素子Ｂの例を以下に説明する。【００７７】
＜第１の表示素子例Ａ＞
エレクトロクロミック化合物としてポリピリジンを用いた表示素子Ａの、書き込み動作と表示階調の関係を説明する。【００７８】
本実施形態の表示素子Ａでは、一定電流の書き込み電流を印加すると、書き込み時間に比例して析出量が増加し、表示素子Ａの表示は、第１の表示状態から、第２の表示状態を経て、第３の表示状態へと変化する。【００７９】
すなわち、第１の表示状態のときは白く表示され、中間の第２の表示状態のときは黒以外の着色した状態（Ｒ、Ｇ、Ｂ）となり、最大の第３の表示状態のときは黒く表示される。あるいは電流の印加方向によってはその逆の変化となる。【００８０】
このようにして表示素子Ａは、共通の黒色表示と、それぞれの異なる色表示と、共通の白色表示との間で、連続的に色表示が変化する色再現範囲を有する、すなわち、リニアーな色再現範囲（黒〜Ｒ、Ｇ、Ｂ）とノンリニアーな色再現範囲（Ｒ、Ｇ、Ｂ〜白）を合わせ持つことになる。【００８１】
＜第２の表示素子例Ｂ＞
次に、上述した表示素子Ａとは異なり、エレクトロクロミック化合物としてイミダゾールロイコを用いた表示素子Ｂの構成例について説明する。【００８２】
表示素子Ｂの表示特性の一例を説明する。表示素子Ｂでは、一定電流の書き込み電流を印加すると、書き込み時間に比例して析出量が変化し、表示素子Ａと同様に表示素子Ｂの表示状態は第１の表示状態から、第２の表示状態を経て、第３の表示状態へと変化する。【００８３】
すなわち、第１の表示状態のときは黒以外の着色した状態（Ｒ、Ｇ、Ｂ）となり、中間の第２の表示状態のときは白く表示され、第３の表示状態のときは黒く表示される。また、逆方向に電流を印加すれば逆順に変化させることもできる。【００８４】
このようにして表示素子Ｂは、それぞれの異なる色表示と、共通の黒色表示と、共通の白色表示との間で、連続的に色表示が変化する色再現範囲を有する、すなわち、表示素子Ａとはまた異なった順序で、リニアーな色再現範囲（黒〜白）とノンリニアーな色再現範囲（白〜Ｒ、Ｇ、Ｂ）を合わせ持つことになる。【００８５】
（表示セルと色表示方法）
リニアーな色再現範囲と、ノンリニアーな色再現範囲を合わせ持つ表示素子Ａ及び表示素子Ｂを用いた、Ｒ、Ｇ、Ｂ各表示セルでの色表示について以下に説明する。まず従来のリニアーな色再現範囲を有する表示セルでの色表示を説明し、次に表示素子Ａ及び表示素子Ｂを用いた、Ｒ、Ｇ、Ｂ各表示セルでの色表示について述べる。【００８６】
＜従来の色表示＞
図４（ａ）に従来のＲ、Ｇ、Ｂ、３色の表示セルによる色表示の状態を示す。【００８７】
上段の５０ａは、１画素がＲ、Ｇ、Ｂと呼称される３つの表示セル（例えば、ａａ、ａｂ、ａｃ）からなり、それらの色表示が５１、５２、５３のように可変であることを示す。つまり５１では、Ｒ、Ｇ、Ｂ３つの表示セルともにＢｋ（ブラック）であり、５２ではＲ、Ｇ、Ｂともに暗いＲ、Ｇ、Ｂであり、５３でそれぞれ最大に発色したＲ、Ｇ、Ｂとなる。【００８８】
下段の５０ｂは、Ｒ、Ｇ、Ｂの３つの表示セルからなる１画素がどのように見えるかを示したものである。つまり５１では、３つの表示セルが１画素としてＢｌａｃｋ（黒）に見え、５２ではＧｒａｙ（灰色）に見え、５３ではＷｈｉｔｅ（白）に見える。【００８９】
このように従来のＲ、Ｇ、Ｂ３つの表示セルからなる画素の色再現範囲は、Ｒ、Ｇ、Ｂ３つの表示セルの出力が均等を保つならば黒からＲ、Ｇ、Ｂの均等に混ざった色、すなわち白へと変化するものであった。Ｒ、Ｇ、Ｂの出力のバランスが変化することによって、黒から白ではなく、黒からＲ、Ｇ、Ｂが適当に混ざった色に変化する。この色再現範囲においては、Ｒ、Ｇ、Ｂの各色それぞれが、無彩色（黒）から各Ｒ、Ｇ、Ｂへとリニアーに色再現される。【００９０】
＜表示素子Ａでの色表示＞
本実施形態では、その表示特性が、上述したリニアーな色再現範囲と合わせて、ノンリニアーな色再現範囲を合わせ持つ表示デバイス（表示素子Ａ）を使用している。【００９１】
図４（ｂ）に本実施形態で使用する表示デバイス（表示素子Ａ）における、表示セルによる色表示の状態を示す。【００９２】
上段の６０ａは、１画素がＲ、Ｇ、Ｂと呼称される３つの表示セル（例えば、ａａ、ａｂ、ａｃ）からなり、それらの色表示が６１乃至６５のように可変であることを示す。但しそのうちの６１乃至６３は図４（ａ）と同じであり、それに６３乃至６５のノンリニアーな色再現範囲が付け加わる。【００９３】
つまり６３では、Ｒ、Ｇ、Ｂ３つの表示セルがそれぞれ最大に発色したＲ、Ｇ、Ｂとなるが、そこから６４では、Ｒ、Ｇ、Ｂともに発色は薄まるが明度のみが増加し、６５ではＲ、Ｇ、Ｂともに、遂に色味が完全になくなるが、明度は最大となる。【００９４】
下段の６０ｂは、Ｒ、Ｇ、Ｂの３つの表示セルからなる１画素がどのように見えるかを示したものである。これも６１乃至６３は図４（ａ）と同様である。しかし、６４以後の明度の増大のため、６２は暗い灰色に、そして６３も白ではなくまだ灰色に見える。【００９５】
これに６３乃至６５のノンリニアーな色再現範囲が付け加わると、６４では、明るい灰色に、そして６５ではＲ、Ｇ、Ｂの混ざった白ではなく、Ｒ、Ｇ、Ｂともに色味が消えた明るい白色が再現される。【００９６】
以上、Ｒ、Ｇ、Ｂは均等に出力するものとして、無彩色での見え方の変化を述べたが、実際はＲ、Ｇ、Ｂの出力のバランスを変えて、色表示を行う。その場合の色味については、６３の状態が最大の色味を有し、６１に近づくと暗くなって黒に近づき、６５に近づくと色味が薄れ、白くなっていくことになる。【００９７】
＜表示素子Ｂでの色表示＞
本実施形態ではまた、その表示特性が、上述したリニアーな色再現範囲と合わせて、ノンリニアーな色再現範囲を合わせ持つ表示デバイス（表示素子Ｂ）を使用している。【００９８】
図５に本実施形態で使用する表示デバイス（表示素子Ｂ）における、表示セルによる色表示の状態を示す。【００９９】
上段の６０ａは、１画素がＲ、Ｇ、Ｂと呼称される３つの表示セル（例えば、ａａ、ａｂ、ａｃ）からなり、それらの色表示が６１から６６乃至６３のように可変であることを示す。但し、全体としては図４（ａ）と同じ変化を示すが、途中の経路が異なり、６５という白色表示を経ることで、６１から６５の無彩色階調の色再現範囲に６５乃至６３のノンリニアーな色再現範囲が付け加わっている。【０１００】
つまり６５では、Ｒ、Ｇ、Ｂ３つの表示セルがまだ発色せず、それぞれ最大明度の白色となるが、そこから６４では、Ｒ、Ｇ、Ｂの発色が始まり彩度が加わってきて、６３ではＲ、Ｇ、Ｂともに、完全に発色し、彩度は最大となる。【０１０１】
下段の６０ｂは、Ｒ、Ｇ、Ｂの３つの表示セルからなる１画素がどのように見えるかを示したものである。これも６１乃至６５は図４（ａ）と同様である。しかし、６４以後の色味が付き、彩度の増大のため、６４、そして６３と白ではなくやや灰色に見える。【０１０２】
このように６５乃至６３のノンリニアーな色再現範囲が付け加わると、６３、６４では、明るい灰色であり、そして６５ではＲ、Ｇ、Ｂの混ざった白ではなく、Ｒ、Ｇ、Ｂともに色味が消えた明るい白色が再現される。【０１０３】
以上、Ｒ、Ｇ、Ｂは均等に出力するものとして、無彩色での見え方の変化を述べたが、実際はＲ、Ｇ、Ｂの出力のバランスを変えて、色表示を行う。その場合の色味については、６３の状態が最大の色味を有し、６５に近づくと色味が消えて白に近づき、さらに６１に近づくと色味がないまま、黒くなっていくことになる。【０１０４】
（色再現範囲について）
上記のＲ、Ｇ、Ｂ３種類の表示セルを用いた表示デバイスによる色再現範囲について、従来の表示セルの場合と本実施形態で用いた表示セルの場合と比較して説明した。すなわち本実施形態で用いた表示デバイスは、従来のリニアーな色再現範囲と、さらにノンリニアーな色再現範囲を合わせ持つ。【０１０５】
図６には、本実施形態で使用する表示デバイス（表示素子Ａ）について、Ｌａｂ色空間で色再現範囲を模式的に示す。図６（ａ）はＬ−ａ軸に平行な断面を、図６（ｂ）はＬ−ｂ軸に平行な断面を、それぞれ示す。図６を用いて、表示素子Ａにおけるリニアーな色再現範囲とノンリニアーな色再現範囲とそれらを複合した色再現範囲について説明する。【０１０６】
また、表示デバイス（表示素子Ｂ）についての、Ｌａｂ色空間で色再現範囲を図７に模式的に示す。既述してきたように、表示素子Ａと表示素子Ｂとではリニアーな色再現範囲とノンリニアーな色再現範囲との関係が異なるため、色再現域１乃至４の実質的な定義が異なる。【０１０７】
以下は、主として表示素子Ａを例にとって説明する。表示素子Ｂあるいはリニアーな色再現範囲とノンリニアーな色再現範囲とを合わせ持つ他の表示素子においても、同様の考え方で色再現域を定義し、後述する画像領域と対応させることができる。【０１０８】
図６において、色再現域１は、Ｒ、Ｇ、Ｂ各表示セルに通常のリニアーな色再現範囲だけを用いるように限定した場合の色再現範囲の例である。すなわち、Ｒ、Ｇ、Ｂ各表示セルは、図４（ｂ）の６１乃至６３の範囲を出力範囲とする（表示素子Ｂでは図５の６１乃至６５の範囲）。【０１０９】
一方、色再現域４は、Ｒ、Ｇ、Ｂ各表示セルにノンリニアーな色再現範囲を用いるように限定した場合の色再現範囲の例である。すなわち、Ｒ、Ｇ、Ｂ各表示セルは、図４（ｂ）の６３乃至６５の範囲を出力範囲とする（表示素子Ｂでは図５の６５乃至６３の範囲）。【０１１０】
図６から分かるように、色再現域１は、色空間の中のＬ（明度）の小さい領域に位置しており、色再現域４は、色空間の中のＬ（明度）の大きい領域に位置している。すなわち、色再現域１は色味が階調性を持って表現される領域であり、色再現域４は色味は薄いが明るさの階調を表現するに適している領域である。【０１１１】
色再現域２と３は、Ｒ、Ｇ、Ｂ各表示セルごとにリニアーな色再現範囲とノンリニアーな色再現範囲を使い分けるようにした場合の色再現範囲の例である。【０１１２】
例えば、色再現域２はＲ、Ｇ、Ｂ各表示セルのうち少なくとも１つは、リニアーな色再現範囲だけを用いるように限定した場合の色再現範囲であり、また例えば、色再現域３はＲ、Ｇ、Ｂ各表示セルのうち少なくとも１つは、ノンリニアーな色再現範囲だけを用いるように限定した場合の色再現範囲である（表示素子Ｂについても同様）。【０１１３】
従って色再現域２と３は、色再現域１と４の中間的な色再現域であり、色再現域２は比較的色味、すなわち彩度を重視した表現に適しており、色再現域３は比較的明度を重視した表現に適している。【０１１４】
このように表示セルが独立した複数の色再現範囲（リニアーな色再現範囲とノンリニアーな色再現範囲）を有していることにより、それらの複合で、色の再現にそれぞれの適性を持った複数の色再現域を設定することができる。【０１１５】
（画像の判別とそれに応じた色空間）
上述したような表示デバイスの色再現範囲の特性を生かせるように、図１で説明した画像処理部３０における画像解析部３１は、表示する画像に対して、画像としての性質を解析し、必要に応じて複数の画像領域に分割する。また色変換部３２は、分割された各画像領域毎に、その画像領域の性質に適した色再現域への色変換処理を行う。【０１１６】
図８には、表示する画像を判別した結果としての画像領域への分割と、分割された各画像領域ごとにどの色再現域への色変換を行うかの対応関係を示した。図８を用いて、画像領域と色再現域との対応関係を説明する。【０１１７】
なお表示デバイス（例えば表示素子Ａと表示素子Ｂ）により、色再現域の定義が多少異なるため、画像領域との対応関係もそれに応じて調整することが好ましい。以下は、表示素子Ａを例にして説明する。【０１１８】
図８において、表示デバイスで表示する画像７１は、画像解析部３１により、例えば第１の画像領域７２ａ、第２の画像領域７２ｂ、第３の画像領域７２ｃ、そして第４の画像領域７２ｄに分割される。【０１１９】
第１の画像領域７２ａと判定される画像領域は、例えば写真や自然画像など、色調の再現がよい色再現特性が求められる画像からなる領域である。【０１２０】
第２の画像領域７２ｂと判定される画像領域は、例えば文字画像などの、色味は薄くともコントラストのよい色再現特性が求められる画像からなる領域である。【０１２１】
第３の画像領域７２ｃと判定される画像領域は、例えば背景部やマーカーなど、色味は薄くとも明るい色調で再現する色再現特性が求められる画像からなる領域である。【０１２２】
第４の画像領域７２ｄと判定される画像領域は、例えばイラスト画像など、色調の再現と適切なコントラストを共有する色再現特性が求められる画像からなる領域である。【０１２３】
このようにして分割された各画像領域（７２ａ〜７２ｄ）毎に、それに対応した色変換処理を行うために、色変換部３２は、それぞれに対応したＬＵＴ（７３ａ〜７３ｄ）を保持している。それぞれのＬＵＴは、それぞれ異なる色再現域への色変換テーブルである。【０１２４】
各ＬＵＴの変換する色再現域を説明する。【０１２５】
既述したように、表示デバイスの表示特性８０は、独立した複数の色再現範囲（リニアーな色再現範囲８１とノンリニアーな色再現範囲８２）を有している。また。これも既述したように、その両者を複合して、色再現域１〜４（８３ａ〜８３ｄ）がある。【０１２６】
例えば、色再現域１は、通常のリニアーな色再現範囲だけを、色再現域４は、ノンリニアーな色再現範囲だけを用いるように限定した場合の色再現範囲である。【０１２７】
例えば、色再現域２はＲ、Ｇ、Ｂ各表示セルのうち少なくとも１つは、リニアーな色再現範囲だけを、また色再現域３はＲ、Ｇ、Ｂ各表示セルのうち少なくとも１つは、ノンリニアーな色再現範囲だけを用いるように限定した場合の色再現範囲である。【０１２８】
これらの関係を図８では、リニアーな色再現範囲とノンリニアーな色再現範囲（８１、８２）と色再現域１〜４（８３ａ〜８３ｄ）とを結ぶ線で示した。【０１２９】
またこれらの色再現域１〜４（８３ａ〜８３ｄ）とＬＵＴ１〜４（７３ａ〜７３ｄ）とを結ぶ線で、どのＬＵＴがどの色再現域への色変換を有しているかを示した。【０１３０】
例えば、ＬＵＴ１は色再現域１と対応している。色調の再現がよい色再現特性が求められる画像領域に対して、色味が階調性を持って表現されるリニアーな色再現域１への色変換処理が行われる。【０１３１】
例えば、ＬＵＴ２は色再現域１と４に対応している。あるいは色再現域１〜４のすべてに対応していてもよい。色味は薄くともコントラストのよい色再現特性が求められる画像領域に対して、色味に関わらず明度の再現範囲が最も広くなる色再現域１〜４への色変換処理が行われる。【０１３２】
例えば、ＬＵＴ３は色再現域３と対応している。色味は薄くとも明るい色調で再現する色再現特性が求められる画像領域に対して、比較的明度を重視した表現に適しているノンリニアーの色再現範囲が多い色再現域３への色変換処理が行われる。【０１３３】
例えば、ＬＵＴ４は色再現域２と対応している。色調の再現と適切なコントラストを共有する色再現特性が求められる画像領域に対して、比較的色味、すなわち彩度を重視した表現に適しているノンリニアーの色再現範囲が少ない色再現域２への色変換処理が行われる。【０１３４】
このようにして、色変換部３２は、第１から第４の各画像領域ごとに保持しているＬＵＴ１〜４を選択的に用いて、それぞれの画像領域に適した色再現範囲への色変換処理を実行する。【０１３５】
これは、ＬＵＴを使い分けることで、色再現に関する要件の異なる画像領域それぞれに応じて、画像表示デバイスの表示特性に合わせた複数の独立した色空間（リニアーな色再現範囲とノンリニアーな色再現範囲）を複合した、それぞれ異なる色空間（色再現域１〜４またはそれらの複合）への色変換を行うものである。【０１３６】
（色変換処理例）
図９は、表示デバイスの表示特性に合わせて表示画像の画像処理を行う手順を示すフローチャートである。図９を用いて表示画像の画像処理、すなわち画像領域分割と色変換処理を行う手順を説明する。【０１３７】
図９において、表示画像は、すでに画像取得部１２によって取得され、画像記憶部１３に記憶されているものとする。【０１３８】
まずステップＳ１１で、画像解析部３１は、表示画像の描画種類を判定する。【０１３９】
次にステップＳ１２で、判定した描画種類により領域分割する。【０１４０】
領域分割される表示画像の例を図１０に示す。図１０において、表示画像９０には、写真画像の領域９１、テキスト画像の領域９２、マーカーの領域９３、イラストの領域９４、その他の領域９５が含まれている。これらはこのステップＳ１１及びステップＳ１２で、それぞれ描画種類の違いを判定され、領域分割される。【０１４１】
ステップＳ１３以降では、それぞれの分割された画像領域毎に画像処理が実行される。【０１４２】
ステップＳ１３では、画像解析部３１は未処理の画像領域の中から、色変換処理を行う１つの画像領域を選択する。【０１４３】
ステップＳ１４では、選択された画像領域がテキスト領域（第２の画像領域）かどうかを判定する。ＹＥＳならばステップＳ１８を実行する。ＮＯならばステップＳ１５を実行する。図１０の表示画像例では、画像領域９２がＹＥＳとなる。【０１４４】
ステップＳ１５では、選択された画像領域が自然画領域（第１の画像領域）かどうかを判定する。ＹＥＳならばステップＳ１９を実行する。ＮＯならばステップＳ１６を実行する。図１０の表示画像例では、画像領域９１がＹＥＳとなる。【０１４５】
ステップＳ１６では、選択された画像領域がイラスト領域（第４の画像領域）かどうかを判定する。ＹＥＳならばステップＳ２０を実行する。ＮＯならばステップＳ１７を実行する。図１０の表示画像例では、画像領域９４がＹＥＳとなる。【０１４６】
ステップＳ１７では、選択された画像領域が背景領域（第３の画像領域）かどうかを判定する。ＹＥＳならばステップＳ２１を実行する。ＮＯならばステップＳ２２を実行する。図１０の表示画像例では、画像領域９３がＹＥＳとなる。【０１４７】
ステップＳ１８以降では、色変換部３２がそれぞれの画像領域に対応するＬＵＴを選択し、色変換処理を行う。【０１４８】
ステップＳ１８では、選択された画像領域が第２の画像領域に該当するので、ＬＵＴ２を選択する。【０１４９】
ステップＳ１９では、選択された画像領域が第１の画像領域に該当するので、ＬＵＴ１を選択する。【０１５０】
ステップＳ２０では、選択された画像領域が第４の画像領域に該当するので、ＬＵＴ４を選択する。【０１５１】
ステップＳ２１では、選択された画像領域が第３の画像領域に該当するので、ＬＵＴ３を選択する。【０１５２】
ステップＳ２２では、選択された画像領域がその他の画像領域に該当するので、予め定めた適当なＬＵＴ（ＬＵＴ１〜４の何れかでもかまわない）を選択する。【０１５３】
ステップＳ２３では、色変換部３２が、それぞれの画像領域に対応して選択したＬＵＴを用いて色変換処理を行う。【０１５４】
ステップＳ２４では、分割された全画像領域について上記色変換処理を終了したかどうかを判定する。ＹＥＳならばステップＳ２５を実行する。ＮＯならばステップＳ１３へ戻り、未処理の画像領域の中から新たに１つの画像領域を選択し、ステップＳ１４からステップＳ２４を、すべての画像領域の処理が終了するまで繰り返す。【０１５５】
ステップＳ２５では、すべての画像領域の処理が終了したので、全領域の画像を統合する。これで表示デバイスの表示特性に合わせた表示画像の画像処理は終了である。後は、画像表示部４０に送られて、表示部４１に表示される。あるいは、外部表示装置３に表示させるため、画像出力部１４から出力される。【０１５６】
＜ＬＵＴについて＞
なお、ＬＵＴ１〜４は、図８の説明で述べたように、それぞれ色再現域１〜４あるいはそれらの複合領域へのマッピングをデータ化したものである。【０１５７】
図１１と図１２に、それぞれＬＵＴ１、ＬＵＴ２の例を示す。【０１５８】
それぞれのＬＵＴは、変換前の色空間におけるデータとそれに対応する変換後の色空間のデータを表にしたものである。例えば、変換前のＲ０−００１に入っている変換前の色空間でのＲの値は、変換後のＲ１−００１に入っている変換後の色空間でのＲの値に変換されるということである。【０１５９】
図１１のＬＵＴ１は、変換前はＲ、Ｇ、Ｂそれぞれについて２５５階調のデータであり、変換後はＲ、Ｇ、Ｂそれぞれについて１５６階調のデータである。これは変換後の色再現範囲が、上述してきた色再現域１に相当し、図６からも分かるように色再現域１〜４すべての色再現範囲の中で明度の小さい領域に拡がっていることによる（００１に近い方が明度彩度小さい）。【０１６０】
図１１のＬＵＴ１は、このようにリニアーな色再現範囲のみを再現するものであり、階調再現のよい色再現特性が求められる画像領域（第１の画像領域）に用いられる。【０１６１】
図１２のＬＵＴ２は、変換前はＲ、Ｇ、Ｂそれぞれについて２５５階調のデータであり、変換後もＲ、Ｇ、Ｂそれぞれについて２５５階調のデータである。これは変換後の色再現範囲が、上述してきた色再現域１から４に相当し、図６からも分かるように色再現域１〜４がすべての色再現範囲を示すものだからである。【０１６２】
図１２のＬＵＴ２は、このようにリニアーな色再現範囲からノンリニアーな色再現範囲までを再現するものであり、コントラストのよい色再現特性が求められる画像領域（第２の画像領域）に用いられる。【０１６３】
このように各画像領域の要件を満たすように適切な色再現域の組み合わせでもって、ＬＵＴは予め用意され、色変換部３２に保持されている。あるいは、外部表示装置などから表示特性の情報を取得し、それに合わせてＬＵＴを修正する、あるいは生成するなどしてもよい。【０１６４】
このように、本実施形態に係る画像処理システム、及び画像処理装置によれば、従来のリニアーな色再現範囲と、さらにノンリニアーな色再現範囲を合わせ持った表示デバイスの色再現特性に対しても、それらの色再現特性を複合させて、より画像の種類や性質に適合した複数の色空間を創出することができる。それらの色空間を用いて、それぞれの画像に応じた色変換処理を行うことができるので、それぞれの画像に適したより自然で好ましい色再現を達成することができる。【０１６５】
なお本発明の範囲は、上記実施形態に限定されるものではない。本発明の趣旨を逸脱しない限り、それらの変更された形態もその範囲に含むものである。
【図３】
2009017055.tif 000003
【図５】
2009017055.tif 000004
【図７】
2009017055.tif 000005
【図８】
2009017055.tif 000006
【図１】
2009017055.tif 000007
【図２】
2009017055.tif 000008
【図４】
2009017055.tif 000009
【図６】
2009017055.tif 000010
【図９】
2009017055.tif 000011
【図１０】
2009017055.tif 000012
【図１１】
2009017055.tif 000013
【図１２】
2009017055.tif 000014
【国際調査報告】
2009017055.tif 000015
2009017055.tif 000016
2009017055.tif 000017
2009017055.tif 000018